(57)【要約】【課題】  赤外線リモコン機器用周波数帯域内での駆動を避け、スイッチング素子の許容最大周波数付近での使用頻度を低減する。【解決手段】  半導体発光素子４の調光点灯回路１であって、インダクタとインダクタＴ２を介して直流電源に接続されたスイッチング素子Ｑ２を含む直流変換回路１２と、直流変換回路１２のスイッチング素子Ｑ２のオンオフを制御する直流変換回路制御部１４とを備え、直流変換回路制御部１４は、スイッチング周波数を変化させることにより直流変換回路１２の出力電流を変化させる第１制御と、要求される調光レベルを第１制御で実現するとスイッチング周波数が赤外線リモコン機器用周波数帯域内に入る調光レベルにおいて、赤外線リモコン機器用周波数帯域境界及び帯域外に維持しつつオン時間を変化させることにより直流変換回路１２が出力する電流の大きさを変化させる第２制御とを選択的に行う。【選択図】図１
2014154429.tif 000002
【特許請求の範囲】
【請求項１】
半導体発光素子を調光点灯する調光点灯回路であって、
インダクタと当該インダクタを介して直流電源に接続されたスイッチング素子を含む直流変換回路と、
前記直流変換回路のスイッチング素子のオンオフを制御する直流変換回路制御部と、を備え、
前記直流変換回路制御部は、
前記スイッチング素子のスイッチング周波数を変化させることにより前記直流変換回路の出力電流を変化させる第１制御と、
要求される調光レベルを前記第１制御で実現すると前記スイッチング素子のスイッチング周波数が赤外線リモコン機器用周波数帯域内に入る調光レベルにおいて、前記スイッチング素子のスイッチング周波数を前記赤外線リモコン機器用周波数帯域境界及び／又は帯域外に維持しつつ前記スイッチング素子の単位時間あたりのオン時間を変化させることにより前記直流変換回路が出力する単位時間あたりの電流の大きさを変化させる第２制御とを
選択的に行うことを特徴とする調光点灯回路。
【請求項２】
前記直流変換回路制御部は、前記第１制御を行う場合に、前記スイッチング素子のスイッチング周波数を前記赤外線リモコン機器用周波数帯域を跨いで、それよりも高い周波数帯域と低い周波数帯域において変化させることを特徴とする請求項１記載の調光点灯回路。
【請求項３】
前記直流変換回路制御部は、前記第１制御を行うときに、さらに、前記スイッチング素子の単位時間あたりのオン時間を変化させる制御を前記第１制御に重畳して行うことを特徴とする請求項１記載の調光点灯回路。
【請求項４】
前記直流変換回路制御部は、（ａ）又は（ｂ）の何れか一方により前記スイッチング素子の単位時間あたりのオン時間を変化させる
ことを特徴とする請求項１又は３の何れかに記載の調光点灯回路。
（ａ）前記スイッチング素子のオンオフ動作を間欠的に休止し、オンオフ動作の動作時間の比率を変化させる制御
（ｂ）前記スイッチング素子のオンオフ動作を構成する各スイッチングパルスにおけるオン時間の比率を変化させる制御
【請求項５】
請求項１〜４の何れかに記載の調光点灯回路と、当該調光点灯装置から電流を供給される半導体発光素子とを備えた照明装置。
【発明の詳細な説明】
【技術分野】
【０００１】
本発明は、ＬＥＤ（Ｌｉｇｈｔ  Ｅｍｉｔｔｉｎｇ  Ｄｉｏｄｅ）等の半導体発光素子を調光点灯する調光点灯回路及びそれを用いた照明装置に関する。
【背景技術】
【０００２】
近年、省エネルギーの観点から、高効率・長寿命なＬＥＤを利用する照明装置が提案されている。この種の照明装置では、一般に、ＬＥＤに供給される直流電流の大きさを調節することでＬＥＤの光出力を調節する各種の調光方式が用いられている。
例えば、特許文献１では、点灯回路の直流変換回路のスイッチング素子に印加するスイッチグパルスの周波数を変化させることでＬＥＤに供給する直流電流の大きさを調節し光出力を調節する振幅制御部を有する。また、振幅制御部に加えて、直流電流を所定の周期で間欠的に供給し直流電流を供給する期間の比率を調節するＰＷＭ制御部を有する。そして、調光レベルが例えば１０％等規定値以上の範囲で変化するときには、直流電流の大きさと直流電流を供給する期間の比率のうちいずれか一方を固定し他方のみを変化させる。また、調光レベルが例えば１０％等規定値以下の範囲で変化するときには、一方のみを変化させ他方を調光レベルが規定値のときの値に固定する。このように、振幅制御とＰＷＭ制御を組み合わせた調光方式を用いた照明器具が提案されている。
【先行技術文献】
【特許文献】
【０００３】
【特許文献１】特開２００９−５４４２５号公報
【発明の概要】
【発明が解決しようとする課題】
【０００４】
ところが、従来の照明装置では、振幅制御に用いる直流変換回路のスイッチング素子に印加するスイッチグパルスの周波数に、赤外線リモコン機器用周波数帯域である３３ｋＨｚから４０ｋＨｚを使用した場合、赤外線リモコンとの周波数の干渉が生じるおそれがあった。そして、この干渉を避けるために、振幅制御に用いるスイッチング周波数に赤外線リモコン機器用周波数帯域を使用せず、替りに、別の周波数帯域を用いることが行われていた。例えば、４０ｋＨｚを超える周波数をスイッチング周波数の最小値とし、スイッチング素子の許容最大周波数、例えば１５０ｋＨｚ等までの周波数範囲で振幅制御を行う方法等が採られていた。
【０００５】
しかしながら、この構成では、スイッチング素子を許容最大周波数付近にて駆動する頻度が増し素子の寿命低下をまねくおそれがあった。
本発明は、上記問題点に鑑み、赤外線リモコン機器用周波数帯域内でのスイッチング周波数による駆動を避け、且つスイッチング素子の許容最大周波数付近での使用頻度を低減できる調光点灯回路及びそれを用いた照明装置を提供することを目的とする。
【課題を解決するための手段】
【０００６】
上記目的を達成するために、本発明の一態様に係る調光点灯回路は、次の構成を有する。
すなわち、半導体発光素子を調光点灯する調光点灯回路であって、インダクタと当該インダクタを介して直流電源に接続されたスイッチング素子を含む直流変換回路と、前記直流変換回路のスイッチング素子のオンオフを制御する直流変換回路制御部と、を備え、前記直流変換回路制御部は、前記スイッチング素子のスイッチング周波数を変化させることにより前記直流変換回路の出力電流を変化させる第１制御と、要求される調光レベルを前記第１制御で実現すると前記スイッチング素子のスイッチング周波数が赤外線リモコン機器用周波数帯域内に入る調光レベルにおいて、前記スイッチング素子のスイッチング周波数を前記赤外線リモコン機器用周波数帯域境界及び／又は帯域外に維持しつつ前記スイッチング素子の単位時間あたりのオン時間を変化させることにより前記直流変換回路が出力する単位時間あたりの電流の大きさを変化させる第２制御とを選択的に行うことを特徴とする。
【０００７】
また、別の態様では、前記直流変換回路制御部は、前記第１制御を行う場合に、前記スイッチング素子のスイッチング周波数を前記赤外線リモコン機器用周波数帯域を跨いで、それよりも高い周波数帯域と低い周波数帯域において変化させることを特徴とする構成であってもよい。
また、別の態様では、前記直流変換回路制御部は、前記第１制御を行うときに、さらに、前記スイッチング素子の単位時間あたりのオン時間を変化させる制御を前記第１制御に重畳して行うことを特徴とする構成であってもよい。
【０００８】
また、別の態様では、前記直流変換回路制御部は、（ａ）又は（ｂ）の何れか一方により前記スイッチング素子の単位時間あたりのオン時間を変化させる
ことを特徴とする構成であってもよい。
（ａ）前記スイッチング素子のオンオフ動作を間欠的に休止し、オンオフ動作の動作時間の比率を変化させる制御
（ｂ）前記スイッチング素子のオンオフ動作を構成する各スイッチングパルスにおけるオン時間の比率を変化させる制御
また、別の態様では、上記何れかに記載の調光点灯回路と、当該調光点灯装置から電流を供給される半導体発光素子とを備えた照明装置であってもよい。
【発明の効果】
【０００９】
上記の構成によれば、振幅制御にて実現するとスイッチング周波数が赤外線リモコン機器用周波数帯域に含まれる調光レベルにおいて、ＰＷＭ制御を用いて調光制御を行う。これにより、赤外線リモコン機器用周波数帯域内でのスイッチング周波数による駆動を避けつつ、寿命低下の要因となるスイッチング素子の許容最大周波数付近での使用頻度を低減できる。
【図面の簡単な説明】
【００１０】
【図１】実施の形態に係る照明装置１０の機能構成を示すブロック図である。
【図２】実施の形態に係る照明装置１０の調光点灯回路１における振幅制御の動作説明図であり、（ａ）はスイッチング素子Ｑ２のオンオフ制御におけるスイッチング周波数が基準周波数ｆ0の場合、（ｂ）は２ｆ0の場合、（ｃ）は４ｆ0の場合である。
【図３】実施の形態に係る照明装置１０の調光点灯回路１におけるＰＷＭ制御の動作説明図であり、（ａ）はスイッチング素子Ｑ２のオンオフ動作を間欠的に休止しオンオフ動作の動作時間の比率が１００％の場合、（ｂ）は５０％の場合、（ｃ）は２５％場合である。
【図４】実施の形態に係る照明装置１０の調光点灯回路１における調光制御の動作を示すフローチャートである。
【図５】実施の形態に係る照明装置１０の調光点灯回路１における調光制御の動作説明図であり、（ａ）は調光レベルに対応する調光指令信号のパルスデューティとスイッチング素子Ｑ２のオンオフ制御におけるスイッチング周波数との関係図、（ｂ）は調光指令信号のパルスデューティとＰＷＭ制御の動作時間比率との関係図、（ｃ）は調光指令信号のパルスデューティと調光点灯回路の出力電流との関係図である。
【図６】実施の形態に係る照明装置１０の調光点灯回路１における、スイッチング素子Ｑ２のオンオフ制御におけるスイッチング周波数とＰＷＭ制御の動作時間比率との関係図である。
【図７】実施の形態に係る照明装置１０の調光点灯回路１の変形例１における調光制御の動作説明図であり、（ａ）は調光レベルに対応する調光指令信号のパルスデューティとスイッチング素子のオンオフ制御におけるスイッチング周波数との関係図、（ｂ）は調光指令信号のパルスデューティとＰＷＭ制御の動作時間比率との関係図、（ｃ）は調光指令信号のパルスデューティと調光点灯回路の出力電流との関係図である。
【図８】実施の形態に係る照明装置１０の調光点灯回路１の変形例２における調光制御の動作説明図である。
【図９】実施の形態に係る照明装置１０の調光点灯回路１の変形例３における調光制御の動作説明図である。
【図１０】実施の形態に係る照明装置１０の調光点灯回路１の変形例４における調光制御の動作説明図である。
【図１１】実施の形態に係る照明装置１０の調光点灯回路１の変形例５における調光制御の動作説明図である。
【図１２】実施の形態に係る照明装置１０の調光点灯回路１の変形例５における、スイッチング素子のオンオフ制御におけるスイッチング周波数とＰＷＭ制御の動作時間比率との関係図である。
【図１３】実施の形態に係る照明装置１０の調光点灯回路１の変形例６におけるＰＷＭ制御の動作説明図であり、（ａ）はスイッチング素子のオンオフ動作を構成する各スイッチングパルスにおけるオン時間の比率が５０％の場合、（ｂ）は２５％の場合、（ｃ）は１２．５％場合である。
【発明を実施するための形態】
【００１１】
≪実施の形態≫
＜照明装置１０の全体構成＞
以下、本発明の実施の形態に係る調光点灯回路及びそれを用いた照明装置の構成について、図面を参照しながら説明する。図１は、実施の形態に係る照明装置１０の機能構成を示すブロック図である。図１に示すように、照明装置１０は、ＬＥＤ等の半導体発光素子４が搭載された半導体発光モジュール３と、商用の交流電源２に接続され半導体発光モジュール３に電流を供給し調光点灯させる調光点灯回路１を備える。
【００１２】
半導体発光モジュール３は、複数個のＬＥＤ等の半導体発光素子４を直列または並列または直並列接続したＬＥＤモジュールである。本実施の形態では、４個の半導体発光素子４を直列に接続した直列接続体を４組並列に接続している。半導体発光モジュール３には、交流電源２から昇圧チョッパ回路１１、降圧チョッパ回路１２からなるスイッチング回路を介して電力が供給され、各半導体発光素子４はその電流の大きさに応じた明るさで点灯する。
＜調光コントローラ１７＞
調光コントローラ１７は、照明装置１０に対し使用者の操作に基づいて半導体発光モジュール３を点灯させるべき光束（以後、「調光レベル」とする）に関する調光指令信号を発する。この有線による調光指令信号には、調光レベルに基づき、例えば、パルスデューティを変化させた所定周波数（例えば、１ｋＨｚ等）のパルス信号、直流電圧を変化させた直流電圧信号等を用いることができる。そして、調光コントローラ１７が発した調光指令信号は、後述する制御部１６に入力される。
【００１３】
＜調光点灯回路１の構成＞
以下、調光点灯回路１の構成について説明する。
調光点灯回路１は、入力フィルタ回路部５、ダイオードブリッジ６、突入防止回路７、昇圧チョッパ回路１１及び降圧チョッパ回路１２を備える。さらに、昇圧チョッパ回路制御部１３、降圧チョッパ回路制御部１４、制御部１６及び制御電源電圧生成回路１５を備える。
【００１４】
調光点灯回路１の入力側は入力端子８ａ、８ｂを介して商用の交流電源２（１００Ｖ、５０／６０Ｈｚ）に、出力側は出力端子９ａ、９ｂを介して半導体発光モジュール３にそれぞれ接続されている。この調光点灯回路１は、交流電源２から供給される交流電力を半導体発光素子４を点灯させるための電力に変換して半導体発光素子４へ出力する。
（整流回路）
入力端子８ａ、８ｂは、入力フィルタ回路部５、ダイオードブリッジ６と突入防止回路７からなる整流回路を介して昇圧チョッパ回路１１に接続されている。入力フィルタ回路部５、ダイオードブリッジ６と突入防止回路７からなる整流回路は、交流電源２から供給される交流電圧を全波整流し昇圧チョッパ回路１１に出力する。コンデンサＣ１は昇圧チョッパ回路１１の高周波電流がダイオードブリッジ６にそのまま流れるのを防止する機能を有する。
【００１５】
（昇圧チョッパ回路１１）
昇圧チョッパ回路１１は、整流回路の後段に設けられ、整流回路からの出力電圧を所望の電圧に変換する、いわゆる昇圧式のＤＣ−ＤＣコンバータである。
昇圧チョッパ回路１１は、インダクタＴ１と、Ｎチャネル型のスイッチング素子Ｑ１と、コンデンサＣ１と、ダイオードＤ１と、電解コンデンサＣ２とからなる。インダクタＴ１は一端は、コンデンサＣ１の一端に接続され、インダクタＴ１の他端は、スイッチング素子Ｑ１を介してコンデンサＣ１の他端に接続されている。スイッチング素子Ｑ１のドレインは、ダイオードＤ１を介して平滑コンデンサＣ２の一端に接続され、スイッチング素子Ｑ１のソースは、平滑コンデンサＣ２の他端に接続されている。また、スイッチング素子Ｑ１のゲートは、昇圧チョッパ回路制御部１３に接続されている。
【００１６】
スイッチング素子Ｑ１は、昇圧チョッパ回路制御部１３から供給されるゲート信号に基づきオンオフのスイッチング動作を行う。
（昇圧チョッパ回路制御部１３）
昇圧チョッパ回路制御部１３の出力端は、スイッチング素子Ｑ１のゲートに接続される。昇圧チョッパ回路制御部１３は、ゲート信号を供給することでスイッチング素子Ｑ１のオンオフ制御を行う。Ｑ１がオンしている期間にはインダクタＴ１にエネルギーが蓄積され、オフしている期間にインダクタＴ１のエネルギーがダイオードＤ１を介して電解コンデンサＣ２を充電する。これにより、コンデンサＣ１から供給される直流電圧を所望の電圧に昇圧する。
【００１７】
（降圧チョッパ回路１２）
降圧チョッパ回路１２は、昇圧チョッパ回路１１から供給される直流電圧を、半導体発光素子４を点灯させるための電圧に変換する、いわゆる降圧式のＤＣ−ＤＣコンバータである。降圧チョッパ回路１２は出力端子９ａ、９ｂに接続され、出力端子９ａ、９ｂには半導体発光モジュール３が接続される。降圧チョッパ回路１２からの電力供給により半導体発光素子４が点灯する。
【００１８】
降圧チョッパ回路１２は、ダイオードＤ２と、電解コンデンサＣ３と、抵抗Ｒ３と、インダクタＴ２と、Ｎチャネル型のスイッチング素子Ｑ２からなる。スイッチング素子Ｑ２は、ゲートが降圧チョッパ回路制御部１４の出力端に接続され、ドレインがダイオードＤ２のアノードと、インダクタＴ２の一端に接続されている。インダクタＴ２の他端は電解コンデンサＣ３、出力電流フィードバック抵抗Ｒ３及び半導体発光モジュールの半導体発光素子４のカソードに接続されている。
【００１９】
スイッチング素子Ｑ２がオンすると半導体発光素子４、インダクタＴ２、スイッチング素子Ｑ２の経路で電流が流れる。このとき、インダクタＴ２にエネルギーが蓄積する。また、スイッチング素子Ｑ２がオフするとインダクタＴ２に蓄積されたエネルギーが放出され、インダクタＴ２、ダイオードＤ２、半導体発光モジュール３、インダクタＴ２の経路で電流が流れる。それを平滑コンデンサＣ３が直流電流に平滑化する。
（降圧チョッパ回路制御部１４）
降圧チョッパ回路制御部１４の出力端は、スイッチング素子Ｑ２のゲートに接続される。制御回路２３は、ゲート信号を与えることでスイッチング素子Ｑ２のオンオフ制御を行い、昇圧チョッパ回路１１から供給される直流電圧を所望の電圧に降圧する。
【００２０】
（制御電源電圧生成回路１５）
制御電源電圧生成回路１５の出力端は、昇圧チョッパ回路制御部１３、降圧チョッパ回路制御部１４及び制御部１６に各々接続されている。制御電源電圧生成回路１５は、昇圧チョッパ回路制御部１３、降圧チョッパ回路制御部１４及び制御部１６への制御電源電圧の供給を行う。
【００２１】
（制御部１６）
制御部１６の出力端は、制御電源電圧生成回路１５と降圧チョッパ回路制御部１４に各々接続されている。制御部１６は、調光コントローラ１７から調光レベルに関する調光指令信号を受けて、降圧チョッパ回路制御部１４に調光制御信号を出力する。調光制御信号とは、調光レベルに関する調光指令信号に対応した多段階の信号であって、例えば、調光レベルに応じてパルスデューティを異ならせた所定周波数の矩形波パルス又は多ビットのデジタル信号等からなる。
【００２２】
以上、本発明の実施の形態に係る調光点灯回路及び照明装置の構成について説明した。なお、本実施の形態では、降圧チョッパ方式を用いたが、これ以外の方式を用いたＤＣ−ＤＣコンバータを採用しても構わない。例えば、シングルフォワード方式、フライバック方式、プッシュプル方式、ハーフブリッジ方式、フルブリッジ方式、マグアンプ方式、昇降圧チョッパ方式を用いることも可能である。
＜調光点灯回路１の動作＞
次に、実施の形態に係る調光点灯回路１及びそれを用いた照明装置１０の動作について説明する。調光点灯回路１は、振幅制御を用いて調光制御を行い、要求される調光レベルを振幅制御にて実現するとスイッチング周波数が赤外線リモコン機器用周波数帯域に含まれる調光レベルにおいてＰＷＭ制御を用いて調光制御を行う。以下、調光点灯回路１における、振幅制御、ＰＷＭ制御、及びそれらを用いた調光制御の動作について図面を用いて説明する。
【００２３】
（振幅制御）
振幅制御について説明する。「振幅制御」とは、スイッチング素子Ｑ２のオンオフ制御におけるスイッチング周波数を変化させることにより直流変換回路である降圧チョッパ回路１２の出力電流を変化させる制御をさす。
図２は、実施の形態に係る照明装置１０の調光点灯回路１における振幅制御の動作説明図であり、（ａ）はスイッチング素子Ｑ２のオンオフ制御におけるスイッチング周波数が基準周波数ｆ0の場合、（ｂ）は２ｆ0の場合、（ｃ）は４ｆ0の場合である。
【００２４】
図２（ａ）に示すように、制御部１６から調光制御信号を受けた降圧チョッパ回路制御部１４は、スイッチング素子Ｑ２のゲートに調光制御信号の示す調光レベルに対応した周波数ｆ0（基準周波数とする）のスイッチングパルスからなるゲート信号を出力する。このとき、スイッチング素子Ｑ２のゲート電圧は、図２（ａ）の上段に示す電圧波形となる。これによりスイッチング素子Ｑ２がオンオフする。スイッチング素子Ｑ２がオンすると半導体発光素子４、インダクタＴ２、スイッチング素子Ｑ２の経路で電流が流れる。このとき、インダクタＴ２にエネルギーが蓄積する。また、スイッチング素子Ｑ２がオフするとインダクタＴ２に蓄積されたエネルギーが放出され、インダクタＴ２、ダイオードＤ２、半導体発光モジュール３、インダクタＴ２の経路で電流が流れる。このとき、インダクタＴ２には図２（ａ）の中段に示す三角波状のインダクタ電流Ｉ1が流れる。そして、それを平滑コンデンサＣ３が図２（ａ）の下段に示す直流電流Ｉ2に平滑化する。半導体発光モジュール３に直流電流Ｉ2を供給することで半導体発光素子４を発光させる。
【００２５】
制御部１６からの調光制御信号が変化すると降圧チョッパ回路制御部１４は、図２（ｂ）に示すように、スイッチング素子Ｑ２のゲートに調光制御信号の示す調光レベルに対応して例えば周波数２ｆ0（基準周波数の２倍）のスイッチングパルスからなるゲート信号を出力する。このとき、スイッチング素子Ｑ２のゲート電圧は、図２（ｂ）の上段に示す周期が図２（ａ）の上段に示す周期に対して約１／２に変化した電圧波形となる。スイッチング素子Ｑ２のオンの継続時間（以後、「オン時間」とする）が約１／２となるため、半導体発光素子４よりインダクタＴ２に蓄積するエネルギーは減少しＱ２のドレイン−ソース間を流れる電流は減少する。その結果、インダクタＴ２には図２（ｂ）の中段に示す波高がＩ1の約１／２となった三角波状のインダクタ電流Ｉ3が流れ、それを平滑コンデンサＣ３が図２（ｂ）の下段に示す直流電流Ｉ4に平滑化する。半導体発光モジュール３にＩ2の１／２となった直流電流Ｉ4が供給され半導体発光素子４の光束は低下する。
【００２６】
制御部１６からの調光制御信号がさらに変化すると降圧チョッパ回路制御部１４は、図２（ｃ）に示すように、例えば周波数４ｆ0（基準周波数の４倍）のスイッチングパルスからなるゲート信号を出力する。このとき、スイッチング素子Ｑ２のゲート電圧は、図２（ｃ）の上段に示す周期が約１／４に変化した電圧波形となる。スイッチング素子Ｑ２のオン時間が約１／４となるため、半導体発光素子４よりインダクタＴ２に蓄積するエネルギーは減少しＱ２のドレイン−ソース間を流れる電流はさらに減少する。その結果、インダクタＴ２には図２（ｃ）の中段に示す波高がＩ1の約１／４となった三角波状のインダクタ電流Ｉ5が流れ、平滑コンデンサＣ３が図２（ｃ）の下段に示す直流電流Ｉ6に平滑化する。半導体発光モジュール３には、Ｉ2の約１／４となった直流電流Ｉ4が供給され半導体発光素子４の光束はより一層低下する。
【００２７】
このように、振幅制御では、スイッチング素子Ｑ２のスイッチングパルスの周波数を変化させることによって、降圧チョッパ回路１２の出力電流を変化させて調光制御を行う。
（ＰＷＭ制御）
ＰＷＭ制御について説明する。「ＰＷＭ制御」とは、スイッチング素子Ｑ２のオンオフ制御における単位時間あたりのオン時間を変化させることにより直流変換回路である降圧チョッパ回路１２が出力する単位時間あたりの電流の大きさを変化させる制御をさす。「単位時間あたりのオン時間を変化させる」制御には、次の２種類の制御を含む。すなわち、スイッチング素子Ｑ２のオンオフ動作を間欠的に休止しオンオフ動作の動作時間の比率を変化させる制御と、スイッチング素子Ｑ２のオンオフ動作を構成する各スイッチングパルスにおけるオン時間の比率を変化させる制御の両方を含む。本実施の形態では前者の構成を採り、後者は変形例６にて後述する。
【００２８】
図３は、実施の形態に係る照明装置１０の調光点灯回路１におけるＰＷＭ制御の動作説明図であり、（ａ）はスイッチング素子Ｑ２のオンオフ動作を間欠的に休止しオンオフ動作の動作時間の比率が１００％の場合、（ｂ）は５０％の場合、（ｃ）は２５％場合である。
図３（ａ）に示すように、制御部１６から調光制御信号を受けた降圧チョッパ回路制御部１４は、スイッチング素子Ｑ２のゲートに調光制御信号の示す調光レベルに対応した所定の周波数のスイッチングパルスからなるゲート信号を連続して出力する。ここで、基準となる時間間隔、例えば１ｍｓｅｃをＴ0とすると、ゲート信号を発する期間ｔのＴ0に対する比率は１００％である。このとき、スイッチング素子Ｑ２のゲート電圧は、図３（ａ）の上段に示す電圧波形となる。インダクタＴ２には図３（ａ）の中段に示す三角波状のインダクタ電流Ｉ7が流れる。図３（ａ）の下段に示す直流電流Ｉ8に平滑化され半導体発光モジュール３に供給される。
【００２９】
制御部１６からの調光制御信号が変化すると降圧チョッパ回路制御部１４は、図３（ｂ）に示すように、間欠的にスイッチング素子Ｑ２にゲート信号を出力する。例えば、調光制御信号の示す調光レベルに対応してスイッチング素子Ｑ２に、ゲート信号を発する期間ｔのＴ0に対する比率を、例えば約５０％に変化させて間欠的にゲート信号を出力する。このとき、スイッチング素子Ｑ２のゲート電圧は、図３（ｂ）の上段に示すように、ｔの期間だけオンオフする電圧波形となる。そして、スイッチング素子Ｑ２がオンオフ動作する期間だけＱ２のドレイン−ソース間に電流が間欠的に流れる。その結果、インダクタＴ２には図３（ｂ）の中段に示す三角波状のインダクタ電流Ｉ9がｔの期間だけ間欠的に流れる。インダクタ電流Ｉ9とインダクタ電流Ｉ8の大きさは同じである。それを平滑コンデンサＣ３が図３（ｂ）の下段に示す直流電流Ｉ10に平滑化する。半導体発光モジュール３にはＩ8の約１／２となった直流電流Ｉ10が供給され半導体発光素子４の光束は低下する。
【００３０】
さらに、制御部１６からの調光制御信号が変化すると降圧チョッパ回路制御部１４は、図３（ｃ）に示すように、スイッチング素子Ｑ２にゲート信号を出力する動作時間の比率を低下させる。例えば、調光制御信号の示す調光レベルに対応して、ｔのＴ0に対する比率を、例えば約２５％に変化させてさらに間欠的にゲート信号を出力する。このとき、スイッチング素子Ｑ２のゲート電圧は、図３（ｃ）の上段に示すように、ｔの期間だけオンオフする電圧波形となる。その結果、インダクタＴ２には図３（ｃ）の中段に示す三角波状のインダクタ電流Ｉ10がｔの期間だけ間欠的に流れる。インダクタ電流Ｉ10とインダクタ電流Ｉ8の大きさは同じである。それを平滑コンデンサＣ３が図３（ｃ）の下段に示す直流電流Ｉ11に平滑化する。半導体発光モジュール３にはＩ8の約１／４となった直流電流Ｉ11が供給され半導体発光素子４の光束はより一層低下する。
【００３１】
（調光制御）
調光制御の動作フローについて説明する。図４は、実施の形態に係る照明装置１０の調光点灯回路１における調光制御の動作を示すフローチャートである。調光制御は、制御部１６から調光制御信号を受けた降圧チョッパ回路制御部１４が行う。
図４に示すように、降圧チョッパ回路制御部１４は、ステップＳ１において、制御部１６から調光制御信号を取得する。
【００３２】
ここで、上述のとおり、調光制御信号は、調光コントローラ１７から制御部１６に発せられた調光指令信号に対応した多段階の信号である。
調光指令信号は、本実施の形態では、調光レベルに基づき、例えば、パルスデューティを変化させた所定周波数（例えば、１ｋＨｚ等）の矩形波信号等のパルス信号、直流電圧を変化させた直流電圧信号とした。調光レベルは、フル点灯（１００％出力）から消灯（０％出力）までの範囲で多段階又は連続的に変化させることができる。本実施の形態では、フル点灯を調光指令信号のパルスデューティ５％以下に、消灯を調光指令信号のパルスデューティ８５％以上に対応している。また、フル点灯から消灯までの調光レベルと、５％から８５％までの調光指令信号のパルスデューティとは、１対１に対応している。
【００３３】
次に、降圧チョッパ回路制御部１４は、調光制御信号の示す調光指令信号のパルスデューティ（以後、「デューティ」と省略する）が、特定デューティの範囲内か否かを判断する。特定デューティとは、要求される調光レベルに対応するデューティを振幅制御で実現することを回避すべきデューティをさす。本実施の形態では、要求される調光レベルに対応するデューティを振幅制御で実現するとスイッチング素子Ｑ２のスイッチング周波数が赤外線リモコン機器用周波数帯域内に入るデューティとし、その範囲を後述するように、例えば、１５％以上３０％以下とした。また、要求される調光レベルに対応するデューティを振幅制御で実現するとスイッチング素子Ｑ２の許容最大周波数以上となる調光レベルも含めることもでき、本実施の形態では６０％以上８５％以下とした。
【００３４】
そして、ステップＳ２において、調光制御信号の示す調光指令信号のパルスデューティが特定デューティの範囲内である場合には、ステップＳ３に進み、降圧チョッパ回路制御部１４はＰＷＭ制御を行う。調光制御信号の示す調光レベルが、特定調光レベルの範囲内に含まれない場合には、ステップＳ４に進み、降圧チョッパ回路制御部１４は振幅制御を行う。
【００３５】
次に、本実施の形態における調光制御の動作の具体例について説明する。図５は、実施の形態に係る照明装置１０の調光点灯回路１における調光制御の動作説明図であり、（ａ）は調光レベルに対応する調光指令信号のパルスデューティとスイッチング素子Ｑ２のオンオフ制御におけるスイッチング周波数との関係図、（ｂ）は調光指令信号のパルスデューティとＰＷＭ制御の動作時間比率との関係図、（ｃ）は調光指令信号のパルスデューティと調光点灯回路の出力電流との関係図である。図５（ａ）に示すように、調光点灯回路１における調光制御では、デューティが５％以上１５％未満の範囲及び３０％を超えて６０％未満の範囲では振幅制御を行う。この範囲では、デューティの増加に従ってスイッチング素子Ｑ２のオンオフ制御周波数を連続的に増加するよう制御を行う。
【００３６】
他方、デューティが１５％以上３０％以下の範囲では、オンオフ制御周波数を赤外線リモコン機器用周波数帯域の下限値３３ｋＨｚに動作時間固定しＰＷＭ制御を行う。デューティが６０％以上８５％以下の範囲においても同様に、オンオフ制御周波数を６０ｋＨｚとしＰＷＭ制御を行う。デューティが１５％以上３０％以下の範囲は、振幅制御で実現するとスイッチング素子Ｑ２のスイッチング周波数が３３ｋＨｚから４０ｋＨｚである赤外線リモコン機器用周波数帯域内に含まれるデューティである。また、６０％以上８５％以下の範囲は、スイッチング素子Ｑ２のスイッチング周波数が許容最大周波数以上となるデューティである。
【００３７】
ＰＷＭ制御では、図５（ｂ）に示すように、調光レベルが１５％以上３０％以下の範囲と６０％以上８５％以下の範囲において、デューティの増加に従ってスイッチング素子Ｑ２のオンオフ制御動作時間比率が連続的に減少するよう制御を行う。
これより、図５（ｃ）に実線で示すように、デューティと調光点灯回路の出力電流との関係は、ＰＷＭ制御を行うデューティの範囲も含めて連続的に変化する関係となり、デューティの変化に伴い連続した調光を行うことができる。尚、図５（ｃ）の破線は、振幅制御による調光点灯回路の出力電流を示したものである。
【００３８】
図６は、実施の形態に係る照明装置１０の調光点灯回路１における、スイッチング素子Ｑ２のオンオフ制御におけるスイッチング周波数とＰＷＭ制御の動作時間比率との関係図である。本実施の形態では、２５ｋＨｚ以上３３ｋＨｚ未満の範囲（Ａ−Ｂ間）及び４０ｋＨｚを超え６０ｋＨｚ未満の範囲（Ｄ−Ｅ間）では振幅制御を行う。そして、赤外線リモコン機器用周波数帯域である３３ｋＨｚ以上４０ｋＨｚ以下の範囲（Ｂ−Ｄ間）、及びスイッチング素子Ｑ２の許容最大周波数以上となる６０ｋＨｚ以上（Ｅ以上）においては振幅制御におけるオンオフ制御を行わない。それに替えて、ＰＷＭ制御を用いてオンオフ制御動作時間比率を、各々Ｂ−Ｃ及びＥ−Ｆで示すように変化させる。
【００３９】
この構成によって、本実施の形態に係る照明装置１０では、調光点灯回路１において、振幅制御にて実現するとスイッチング周波数が赤外線リモコン機器用周波数帯域に含まれるデューティにおいてＰＷＭ制御を用いて調光制御する構成とした。
これにより、赤外線リモコン機器用周波数帯域との干渉を避けつつ、赤外線リモコン機器用周波数帯域未満の周波数においても振幅制御を行うことを可能となる。ここで、赤外線リモコン機器用周波数帯域との干渉とは、照明装置１００では他の電子機器で用いられる赤外線リモコンとの干渉をさす。しかしながら、照明装置１００が調光コントローラ１７に替えて赤外線リモコンを具備した構成である場合には、照明装置１００の有する赤外線リモコンとの干渉も防止できることは言うまでもない。その結果、使用頻度の高い、例えば調光下限におけるスイッチング周波数を従来に比べて低減できる。これより、赤外線リモコン機器用周波数帯域内でのスイッチング周波数による駆動を避けつつ、赤外線リモコン機器用周波数帯域未満の周波数においても振幅制御を行うことが可能となる。その結果、寿命低下の要因となるスイッチング素子の許容最大周波数付近での使用の頻度を低減できる。また、スイッチング素子の仕様において利用可能な周波数帯域を広く活用し振幅制御に用いる帯域幅を十分に確保できるので、調光制御として電流値のダイナミックレンジを十分に確保することができる。
【００４０】
＜変形例１＞
以上、実施の形態に係る調光点灯回路１及びそれを用いた照明装置１０について説明したが、例示した調光点灯回路１を以下のように変形することも可能であり、本発明が上述の実施の形態で示した通りの調光点灯回路１に限られないことは勿論である。
上記した実施の形態に係る調光点灯回路１では、図５及び図６に示すように、デューティが１５％以上３０％以下の範囲では、オンオフ制御周波数を赤外線リモコン機器用周波数帯域の下限値３３ｋＨｚとしＰＷＭ制御を行う構成とした。しかしながら、デューティが１５％以上３０％以下の範囲は、オンオフ制御周波数が３３ｋＨｚ以上４０ｋＨｚ以下である赤外線リモコン機器用周波数帯域の内部に含まれていなければ良く、他の周波数を用いてもよい。
【００４１】
図７は、実施の形態に係る照明装置１０の調光点灯回路１の変形例１における調光制御の動作説明図であり、（ａ）は調光レベルに対応する調光指令信号のパルスデューティとスイッチング素子のオンオフ制御におけるスイッチング周波数との関係図、（ｂ）は調光指令信号のパルスデューティとＰＷＭ制御の動作時間比率との関係図、（ｃ）は調光指令信号のパルスデューティと調光点灯回路の出力電流との関係図である。図７（ａ）に示すように、変形例１に係る調光点灯回路では、デューティが１５％以上３０％以下の範囲では、オンオフ制御周波数を赤外線リモコン機器用周波数帯域上限値４０ｋＨｚとしＰＷＭ制御を行う構成とした。また、図７（ｂ）に示すように、ＰＷＭ制御ではデューティが５％以上１５％未満の範囲及び３０％を超えて６０％未満の範囲では、スイッチング素子Ｑ２のオンオフ制御動作時間比率を、例えば、５０％等の中間的な比率とする。そして、デューティが１５％以上３０％以下の範囲において、オンオフ制御動作時間比率を一旦１００％とした後、デューティの増加に従ってオンオフ制御動作時間比率が５０％まで連続的に減少するよう制御を行う。これより、図７（ｃ）に実線で示すように、実施の形態と同様にデューティと調光点灯回路の出力電流との関係は、ＰＷＭ制御を行う調光レベルの範囲も含めて連続的に変化する関係となり、調光レベル連続した調光を行うことができる。
【００４２】
＜変形例２＞
上記した実施の形態に係る調光点灯回路１では、図５及び図６に示すように、デューティが１５％以上３０％以下の範囲では、オンオフ制御周波数を赤外線リモコン機器用周波数帯域の下限値である３３ｋＨｚとしＰＷＭ制御を行う構成とした。しかしながら、オンオフ制御周波数は、上記したように他の周波数を用いてもよい。
【００４３】
図８は、実施の形態に係る照明装置１０の調光点灯回路１の変形例２における調光制御の動作説明図である。図８（ａ）に示すように、変形例２に係る調光点灯回路では、デューティが１５％以上３０％以下の範囲では、オンオフ制御周波数を赤外線リモコン機器用周波数帯域の下限値未満である、例えば２５ｋＨｚとしＰＷＭ制御を行う構成とした。また、図８（ｂ）に示すように、ＰＷＭ制御では、デューティが１５％以上３０％以下の範囲において、オンオフ制御動作時間比率を一旦、例えば８０％程度とした後、デューティの増加に従って例えば４０％程度まで連続的に減少するよう制御を行う。これより、図８（ｃ）に実線で示すように、実施の形態と同様にデューティと調光点灯回路の出力電流との関係は、ＰＷＭ制御を行う調光レベルの範囲も含めて連続的に変化する関係となり、デューティの変化に伴って連続した調光を行うことができる。また、ＰＷＭ制御時における、スイッチング素子のスイッチング周波数を低減しスイッチングに伴うロスを低減することができる。
【００４４】
＜変形例３＞
上記した実施の形態に係る調光点灯回路１では、図５及び図６に示すように、デューティが１５％以上３０％以下の範囲では、オンオフ制御周波数を赤外線リモコン機器用周波数帯域の下限値３３ｋＨｚに固定しＰＷＭ制御のみを行う構成とした。しかしながら、オンオフ制御周波数に赤外線リモコン機器用周波数帯域外の他の周波数を用いた上で、デューティが１５％以上３０％以下の範囲でも振幅制御を行ってもよい。
【００４５】
図９は、実施の形態に係る照明装置１０の調光点灯回路１の変形例３における調光制御の動作説明図である。図９（ａ）に示すように、変形例３に係る調光点灯回路では、デューティが１５％以上３０％以下の範囲では、オンオフ制御周波数を赤外線リモコン機器用周波数帯域の下限値未満である例えば２５ｋＨｚから下限値３３ｋＨｚまでの周波数を用いて振幅制御を行う。また、図９（ｂ）に示すように、ＰＷＭ制御では、デューティが１５％以上３０％以下の範囲において、オンオフ制御動作時間比率を一旦例えば７０％程度に変更し、デューティの増加に従ってオンオフ制御動作時間比率を例えば８０％程度まで増加するよう制御を行う。これより、図９（ｃ）に実線で示すように、実施の形態と同様にデューティと調光点灯回路の出力電流との関係は、ＰＷＭ制御を行うデューティの範囲も含めて連続的に変化する関係となり、デューティの変化に伴い連続した調光を行うことができる。また、デューティの全範囲において振幅制御を行うことでデューティの変化に伴う制御パラメータの設定を容易に行うことができる。
【００４６】
＜変形例４＞
上記した実施の形態に係る調光点灯回路１では、図５及び図６に示すように、デューティが１５％以上３０％以下の範囲でＰＷＭ制御を行う構成とした。しかしながら、例えば、デューティが５から１５％等、低いデューティにおいてＰＷＭ制御を行う構成としてもよい。
【００４７】
図１０は、実施の形態に係る照明装置１０の調光点灯回路１の変形例４における調光制御の動作説明図である。図１０（ａ）に示すように、変形例４に係る調光点灯回路では、デューティが５から１５％の範囲にて、オンオフ制御周波数を赤外線リモコン機器用周波数帯域の下限値３３ｋＨｚとした上でＰＷＭ制御を行う。また、図１０（ｂ）に示すように、ＰＷＭ制御では、デューティが５から１５％の範囲において、デューティの増加に従ってオンオフ制御動作時間比率を例えば１００％から８０％程度に減少するよう制御を行う。これより、図１０（ｃ）に実線で示すように、実施の形態と同様にデューティと調光点灯回路の出力電流との関係は、ＰＷＭ制御を行うデューティの範囲も含めて連続的に変化する関係となり、デューティの変化に伴う連続した調光を行うことができる。
【００４８】
＜変形例５＞
上記した実施の形態に係る調光点灯回路１では、図５及び図６に示すように、デューティが５％以上１５％未満の範囲及び３０％を超えて６０％未満の範囲では振幅制御のみを行う構成とした。しかしながら、振幅制御とＰＷＭ制御を同時に行う構成としてもよい。
図１１は、実施の形態に係る照明装置１０の調光点灯回路１の変形例５における調光制御の動作説明図である。図１１（ａ）及び（ｂ）に示すように、変形例５に係る調光点灯回路では、デューティが５％以上１５％未満の範囲及び３０％を超えて６０％未満の範囲では、振幅制御とＰＷＭ制御を同時に行う。図１２は、実施の形態に係る照明装置１０の調光点灯回路１の変形例５における、スイッチング素子のオンオフ制御におけるスイッチング周波数とＰＷＭ制御の動作時間比率との関係図である。図１１及び図１２に示すように、変形例５では、実施の形態と同様に、赤外線リモコン機器用周波数帯域である３３ｋＨｚ以上４０ｋＨｚ以下の範囲（図１２、Ａ−Ｇ間）においては振幅制御におけるオンオフ制御を行わない。さらに、スイッチング素子Ｑ２の許容最大周波数以上となる例えば６０ｋＨｚ以上の範囲（図１２、Ｊ以上）においては振幅制御におけるオンオフ制御を行わない。それに替えて、ＰＷＭ制御を用いてオンオフ制御動作時間比率を、各々、図１２のＧ−Ｈ及びＪ−Ｋで示すように変化させる。また、上記実施の形態では、振幅制御のみを行っていた２５ｋＨｚ以上３３ｋＨｚ未満の範囲（図１２、Ａ−Ｇ間）、及び４０ｋＨｚを超えて６０ｋＨｚ以下の範囲（図１２、Ｉ−Ｊ間）においては、振幅制御とＰＷＭ制御の両方を同時に行う。尚、上記６０ｋＨｚは一例であり、スイッチング素子Ｑ２の許容最大周波数は、使用するスイッチング素子に基づき適宜変更が必要である。
【００４９】
これより、図１１（ｃ）に実線で示すように、実施の形態と同様にデューティと調光点灯回路の出力電流との関係は、ＰＷＭ制御を行うデューティの範囲も含めて連続的に変化する関係となり、デューティに応じて連続した調光を行うことができる。また、デューティの全範囲においてＰＷＭ制御を行うことで、赤外線リモコン機器用周波数帯域内でのスイッチング周波数による駆動を避けつつ、寿命低下の要因となるスイッチング素子の許容最大周波数付近での使用の頻度をより一層低減できる。
【００５０】
＜変形例６＞
上記した実施の形態に係る調光点灯回路１では、図３に示すように、ＰＷＭ制御において、スイッチング素子Ｑ２のオンオフ動作を間欠的に休止しオンオフ動作の動作時間の比率を変化させることにより単位時間あたりのオン時間を変化させる構成とした。しかしながら、ＰＷＭ制御では、単位時間あたりのオン時間を変化させる制御であれば良く、他の方法を用いてもよい。
【００５１】
図１３は、実施の形態に係る照明装置１０の調光点灯回路１の変形例６におけるＰＷＭ制御の動作説明図であり、（ａ）はスイッチング素子のオンオフ動作を構成する各スイッチングパルスにおけるオン時間の比率が５０％の場合、（ｂ）は２５％の場合、（ｃ）は１２．５％場合である。図１３（ａ）に示すように、変形例６では、スイッチング素子Ｑ２のオンオフ動作を構成する各スイッチングパルスにおけるオン時間の比率を変化させることにより単位時間あたりのオン時間のパルス周期に対する比率を変化させる構成を採る。
【００５２】
図１３（ａ）に示すように、制御部１６から調光制御信号を受けた降圧チョッパ回路制御部１４は、スイッチング素子Ｑ２のゲートに調光指令信号のパルスデューティに対応した所定の周波数のスイッチングパルスからなるゲート信号を連続して出力する。ここで、例えば周波数３３ｋＨｚにてＰＷＭ制御を行う場合には、各スイッチングパルスの周期Ｔ1は３０．３μｓｅｃとなり、ゲート信号にスイッチングパルスを発するオン期間Ｔonを、例えば１５．１５μｓｅｃとすると、ＴonのＴ1に対する比率は５０％となる。このとき、スイッチング素子Ｑ２のゲート電圧は、図１３（ａ）の上段に示す電圧波形となる。インダクタＴ２には図１３（ａ）の中段に示す三角波状のインダクタ電流Ｉ12が流れる。図１３（ａ）の下段に示す直流電流Ｉ13に平滑化され半導体発光モジュール３に供給される。
【００５３】
制御部１６から調光制御信号が変化すると降圧チョッパ回路制御部１４は、図１３（ｂ）に示すように、スイッチング素子Ｑ２にゲート信号のオン時間を減少して出力する。例えば、デューティに対応してスイッチング素子Ｑ２に、ゲート信号を発するオン時間ＴonのＴ1に対する比率を、例えば約２５％に変化させてゲート信号を出力する。このとき、スイッチング素子Ｑ２のゲート電圧は、図１３（ｂ）の上段に示すように、Ｔonの期間だけオンするパルス電圧波形となる。その結果、インダクタＴ２には図１３（ｂ）の中段に示す三角波状のインダクタ電流Ｉ14が流れる。インダクタ電流Ｉ14はインダクタ電流Ｉ12よりも小さい。それを平滑コンデンサＣ３が図１３（ｂ）の下段に示す直流電流Ｉ15に平滑化する。半導体発光モジュール３にはＩ13の約１／２となった直流電流Ｉ15が供給され半導体発光素子４の光束は低下する。
【００５４】
さらに、制御部１６から調光制御信号が変化すると降圧チョッパ回路制御部１４は、図１３（ｃ）に示すように、スイッチング素子Ｑ２にゲート信号のオン時間を減少して出力する。例えば、デューティに対応してスイッチング素子Ｑ２に、ゲート信号を発するオン時間ＴonのＴ1に対する比率を、例えば約１２．５％に変化させてゲート信号を出力する。このとき、スイッチング素子Ｑ２のゲート電圧は、図１３（ｃ）の上段に示すように、Ｔonの期間だけオンするパルス電圧波形となる。その結果、インダクタＴ２には図１３（ｃ）の中段に示す三角波状のインダクタ電流Ｉ16が流れる。インダクタ電流Ｉ16はインダクタ電流Ｉ14よりもさらに小さい。それを平滑コンデンサＣ３が図１３（ｃ）の下段に示す直流電流Ｉ17に平滑化する。半導体発光モジュール３にはＩ13の約１／４となった直流電流Ｉ17が供給され半導体発光素子４の光束はより一層低下する。
【００５５】
これより、実施の形態と同様に、赤外線リモコン機器用周波数帯域内での周波数の使用を避けつつ、振幅制御を行うことが可能となる。
＜その他の事項＞
（１）上記した実施の形態に係る調光点灯回路１では、赤外線リモコン機器用周波数帯域を、３３ｋＨｚから４０ｋＨｚまでの周波数とした構成とした。しかしながら、これは一例であって、製品仕様によって変更される場合がある。その場合、家電製品の赤外線リモコン機器用周波数帯域は、現状３３ｋＨｚから４０ｋＨｚであるので、例えば、この範囲に含まれる一部の帯域又はこの範囲を含む帯域を赤外線リモコン機器用周波数帯域とすることとなる。
【００５６】
（２）上記した実施の形態に係る調光点灯回路１では、図１に示すように、調光コントローラ１７を有し、点灯／非点灯に関する指示や半導体発光モジュール３を点灯させるべき光束に関する指示を有線の電気信号を用いて伝達する構成とした。しかしながら、伝達手段はこの方式に限られず、このような指示情報を伝達できる方法であれば他の方式を採ることも当然に可能である。例えば、赤外線リモコンと赤外線受信回路を具備し、点灯／非点灯に関する操作信号や半導体発光モジュール３の調光レベルに関する操作信号を赤外線通信を用いて伝達する構成としてもよい。
【００５７】
＜効果＞
以上、説明したとおり、本発明の一実施の形態に係る調光点灯回路１及びそれを用いた照明装置１０は、次の構成を有する。すなわち、調光点灯回路１であって、インダクタＴ２とインダクタＴ２を介して直流電源に接続されたスイッチング素子Ｑ２を含む直流変換回路１２と、直流変換回路１２のスイッチング素子Ｑ２のオンオフを制御する直流変換回路制御部１４とを備える。さらに、直流変換回路制御部１４は、スイッチング周波数を変化させることにより直流変換回路１２の出力電流を変化させる第１制御を行う。さらに、要求される調光レベルを前記第１制御で実現すると前記スイッチング素子のスイッチング周波数が赤外線リモコン機器用周波数帯域内に入る調光レベルにおいて、前記スイッチング素子のスイッチング周波数を前記赤外線リモコン機器用周波数帯域境界及び／又は帯域外に維持しつつ、前記スイッチング素子の単位時間あたりのオン時間を変化させることにより前記直流変換回路が出力する単位時間あたりの電流の大きさを変化させる第２制御とを選択的に行う。
【００５８】
以上の構成により、赤外線リモコン機器用周波数帯域内でのスイッチング周波数による駆動を避けつつ、赤外線リモコン機器用周波数帯域未満の周波数においても振幅制御を行うことが可能となる。その結果、寿命低下の要因となるスイッチング素子の許容最大周波数付近での使用頻度を低減できる。
≪補足≫
以上で説明した実施の形態は、いずれも本発明の好ましい一具体例を示すものである。実施の形態で示される数値、形状、材料、構成要素、構成要素の配置位置及び接続形態、工程、工程の順序などは一例であり、本発明を限定する主旨ではない。また、実施の形態における構成要素のうち、本発明の最上位概念を示す独立請求項に記載されていない工程については、より好ましい形態を構成する任意の構成要素として説明される。
【００５９】
また、発明の理解の容易のため、上記各実施の形態で挙げた各図の構成要素の縮尺は実際のものと異なる場合がある。また本発明は上記各実施の形態の記載によって限定されるものではなく、本発明の要旨を逸脱しない範囲において適宜変更可能である。
さらに、調光点灯回路、及び照明装置においては基板上に回路部品、リード線等の部材も存在するが、電気的配線、電気回路について照明装置等の技術分野における通常の知識に基づいて様々な態様を実施可能であり、本発明の説明として直接的には無関係のため、説明を省略している。尚、上記示した各図は模式図であり、必ずしも厳密に図示したものではない。
【符号の説明】
【００６０】
１  調光点灯回路
２  交流電源
３  半導体発光モジュール
４  半導体発光素子
５  入力フィルタ回路部
６  ダイオードブリッジ
７  突入防止回路
８ａ、８ｂ  入力端子
９ａ、９ｂ  出力端子
１０  照明装置
１１  昇圧チョッパ回路
１２  降圧チョッパ回路
１３  昇圧チョッパ制御回路
１４  降圧チョッパ制御回路
１５  制御電源電圧生成回路
１６  制御部
１７  調光コントローラ
【図１】
2014154429.tif 000003
【図２】
2014154429.tif 000004
【図３】
2014154429.tif 000005
【図４】
2014154429.tif 000006
【図５】
2014154429.tif 000007
【図６】
2014154429.tif 000008
【図７】
2014154429.tif 000009
【図８】
2014154429.tif 000010
【図９】
2014154429.tif 000011
【図１０】
2014154429.tif 000012
【図１１】
2014154429.tif 000013
【図１２】
2014154429.tif 000014
【図１３】
2014154429.tif 000015